(57)【要約】【課題】安定した耐震性能を有するケーブル終端部を提供する。【解決手段】  架台２５に立ち上げられた高圧ケーブルの端末部を被嵌するブッシング１０と、ブッシング１０の頂部に設けられた上部金具１２の上に、シールドキャップ１３を被せ、シールドキャップ１３の中に、ばね体１６、１７により揺動自在に支承された重り１８を配設してなる制振装置１１と、シールドキャップ１３の上部に配設され、高圧ケーブルに電気的に接続された引出し端子１５とを備えた。引出し端子１５は、シールドキャップ１３および上部金具１２を介して高圧ケーブルに電気的に接続されている。【選択図】    図１
2005333754.tif 000002
【特許請求の範囲】
【請求項１】
架台に立ち上げられた高圧ケーブルの端末部を被嵌するブッシングと、
前記ブッシングの頂部に設けられた上部金具の上に、シールドキャップを被せ、前記シールドキャップの中に、ばね体により揺動自在に支承された重りを配設してなる制振装置と、
前記シールドキャップの上部に配設され、前記高圧ケーブルに電気的に接続された引出し端子とを備えたことを特徴とするケーブル終端部。
【請求項２】
請求項１に記載のケーブル終端部において、
前記引出し端子は、前記シールドキャップおよび前記上部金具を介して前記高圧ケーブルに電気的に接続されていることを特徴とするケーブル終端部。
【請求項３】
請求項１または２に記載のケーブル終端部において、
前記シールドキャップ内に、前記重りを挟んだ両側に支持体を対向配置し、
前記重りは前記各支持体の間で両側からコイルばねにより支承されていることを特徴とするケーブル終端部。
【請求項４】
請求項１または２に記載のケーブル終端部において、
前記シールドキャップ内に、前記重りを挟んだ両側に支持体を対向配置し、
前記各支持体と前記重りとに、それぞれ相対向する１または２以上の取付孔を設け、
これらの取付孔に、それぞれコイルばねを嵌め込んで配置したことを特徴とするケーブル終端部。
【請求項５】
請求項３または４に記載のケーブル終端部において、
前記支持体または前記重りは、絶縁材料により構成したものであることを特徴とするケーブル終端部。
【請求項６】
請求項３または４に記載のケーブル終端部において、
前記コイルばねは、絶縁材料により構成されたものであることを特徴とするケーブル終端部。
【請求項７】
請求項３または４に記載のケーブル終端部において、
前記コイルばねは、外表面が絶縁材料により被覆されたものであることを特徴とするケーブル終端部。
【請求項８】
請求項３または４に記載のケーブル終端部において、
前記コイルばねは、中間部に絶縁体が介在されたものであることを特徴とするケーブル終端部。
【請求項９】
電力機器の上に立ち上げられた高圧電極部を被嵌するブッシングと、
前記ブッシングの頂部に設けられた上部金具の上に、シールドキャップを被せ、前記シールドキャップの中に、ばね体により揺動自在に支承された重りを配設してなる制振装置と、
前記シールドキャップの上部に配設され、前記高圧電極部に電気的に接続された引出し端部とを備えたことを特徴とする電力機器用ブッシング。
【発明の詳細な説明】
【技術分野】
【０００１】
本発明は、耐震性能を向上した高電圧用のケーブル終端部および電力機器用ブッシングに関する。
【背景技術】
【０００２】
変電所や開閉所等の設備においては、送電電圧の上昇に伴ない高電圧用のケーブル終端部の気中ブッシング（碍管）が長尺化している。超高電圧用ブッシングは、汚損時の気中沿面距離を考慮すると、気中碍管部分の長さで１０ｍを越える長尺なものとなる。このような長尺なブッシングは、耐震強度的に不利であるため、１９７８年の宮城県沖地震や１９９５年の阪神・淡路大地震級の大地震に対しては何等かの耐震強度向上策が要求される。
このために、ブッシングの上部あるいは下部に、積層ゴム等の弾性体を配設したり、ばね等の弾性体と重りからなり固有振動数をブッシング の固有振動数に一致させた制振体を配設する等を行って地震時のブッシング の応答を低減させることが考えられている（特許文献１、特許文献２参照）。
【特許文献１】特開平５−１２１２４６号公報
【特許文献２】特開平５−３２６２８６号公報
【発明の開示】
【発明が解決しようとする課題】
【０００３】
ところで、上記の技術には、次のような解決すべき課題があった。
ブッシングの上部あるいは下部に、積層ゴム等の弾性体や上記制振体を配設した場合にはケーブル終端部の高さがより高くなり、不安定になるというおそれがあった。また、ブッシングの上部に制振体を配設する場合には、制振体等の付加構造が複雑な外形であると高圧部分に位置するためにコロナ放電等が生じ、好ましくない。
【０００４】
本発明は、これらの課題を改善し、安定した耐震性能を有するケーブル終端部および電力機器用ブッシングを提供することを目的とする。
【課題を解決するための手段】
【０００５】
本発明は以上の点を解決するため次の構成を採用する。
〈構成１〉
架台に立ち上げられた高圧ケーブルの端末部を被嵌するブッシングと、上記ブッシングの頂部に設けられた上部金具の上に、シールドキャップを被せ、上記シールドキャップの中に、ばね体により揺動自在に支承された重りを配設してなる制振装置と、上記シールドキャップの上部に配設され、上記高圧ケーブルに電気的に接続された引出し端子とを備えたことを特徴とするケーブル終端部。
【０００６】
制振装置の固有振動数とブッシングの固有振動数とは一致するように、予め設定されている。したがって、制振装置はブッシングが地震等で過振したとき動吸振作用により振動を減衰する。制振装置を構成するシールドキャップは、通常のケーブル終端部に設けられてコロナシールドをする雨覆を兼用するものである。したがって、架台または電力機器からの高さを、少なくとも雨覆の高さ分を低減し最小限に抑えた状態で制振装置を設置できる。また、制振のための付加構造はシールドキャップ内に収容されるためにコロナ放電等の問題は生じず、引出し端部付近の外観形状が制振装置を有しない通常のケーブル終端部と同様であることから通常のケーブル終端部とのリプレース作業が容易である。シールドキャップ内には重りの動きを減衰するために粘性流体が収容される。ブッシングが碍管のように磁器製の場合には地震等により倒壊したときの被害が大きいので、本発明を適用することの効果が極めて大である。
【０００７】
〈構成２〉
構成１に記載のケーブル終端部において、上記引出し端子は、上記シールドキャップおよび上記上部金具を介して上記高圧ケーブルに電気的に接続されていることを特徴とするケーブル終端部。
【０００８】
ケーブル端と引出し端子との間を接続するのに、通常行なわれているリード線を配線することを要しないので、ブッシング上部の構成を簡略化できる。
【０００９】
〈構成３〉
構成１または２に記載のケーブル終端部において、上記シールドキャップ内に、上記重りを挟んだ両側に支持体を対向配置し、上記重りは上記各支持体の間で両側からコイルばねにより支承されていることを特徴とするケーブル終端部。
【００１０】
重りの水平方向の動きに対応できる。
【００１１】
〈構成４〉
構成１または２に記載のケーブル終端部において、上記シールドキャップ内に、上記重りを挟んだ両側に支持体を対向配置し、上記各支持体と上記重りとに、それぞれ相対向する１または２以上の取付孔を設け、これらの取付孔に、それぞれコイルばねを嵌め込んで配置したことを特徴とするケーブル終端部。
【００１２】
具体的な制振装置の構造として上記構成を採用する。また、コイルばねの両端部を取付孔に嵌入していることにより、コイルばねを着実に取り付けて重りを安定よく支承できる。
【００１３】
〈構成５〉
構成３または４に記載のケーブル終端部において、上記支持体または上記重りは、絶縁材料により構成したものであることを特徴とするケーブル終端部。
【００１４】
支持体または重りを介してコイルばねに通電しないようにする。コイルばねに電流が流れた場合に発熱が生じ、また、制振装置の動作に電磁力による影響も懸念されるので、これを防止するものである。
【００１５】
〈構成６〉
構成３または４に記載のケーブル終端部において、上記コイルばねは、絶縁材料により構成されたものであることを特徴とするケーブル終端部。
【００１６】
構成５と同様にコイルばねに通電しないようにするものである。
【００１７】
〈構成７〉
構成３または４に記載のケーブル終端部において、上記コイルばねは、外表面が絶縁材料により被覆されたものであることを特徴とするケーブル終端部。
【００１８】
構成５と同様にコイルばねに通電しないようにするものである。
【００１９】
〈構成８〉
構成３または４に記載のケーブル終端部において、上記コイルばねは、中間部に絶縁体が介在されたものであることを特徴とするケーブル終端部。
【００２０】
構成５と同様にコイルばねに通電しないようにするものである。
【００２１】
〈構成９〉
電力機器の上に立ち上げられた高圧電極部を被嵌するブッシングと、上記ブッシングの頂部に設けられた上部金具の上に、シールドキャップを被せ、上記シールドキャップの中に、ばね体により揺動自在に支承された重りを配設してなる制振装置と、上記シールドキャップの上部に配設され、上記高圧電極部に電気的に接続された引出し端部とを備えたことを特徴とする電力機器用ブッシング。
【００２２】
構成１と同様の技術を電力機器用ブッシングに適用するものである。構成２ないし８の各内容とも適宜組み合わせが可能である。
【発明を実施するための最良の形態】
【００２３】
以下、本発明の実施の形態を具体例を用いて説明する。
【実施例１】
【００２４】
図１は本発明の一実施例を示す一部縦断面図である。
図１において、ケーブル終端部は、架台２５の上に立ち上げられた高圧電力ケーブル９の端末部を被嵌する碍管のブッシング１０と、このブッシング１０の頂部に設けられた制振装置１１と、この制振装置１１の上に設けられた引出し端子１５とを備えている。架台２５は碍子２６により基台等に固定された周知構造のものである。
【００２５】
制振装置１１は、ブッシング１０の上縁に固定されている上部金具１２と、上部金具１２の上に配置された釣鐘状のシールドキャップ１３と、このシールドキャップ１３の中に配設された複数のばね体１６、１７と、これらのばね体１６、１７により揺動自在に支承された重り１８とから構成されている。ばね体１６、１７は、コイルばねやゴム状弾性紐等が使用され、シールドキャップ１３内の上下に対向して配置された板状の支持体１９、２０に一端が結着されて重り１７を支持している。
【００２６】
シールドキャップ内に、重り１８を包覆するようにシリコーンオイル等の粘性流体１４が収容されている。ブッシング１０上の上部金具１２には、コロナシールドをする雨覆が設けられるが、本発明ではシールドキャップ１３が雨覆を兼ねている。
引出し端子１５は、シールドキャップ１３の上面の中心部に固設され、導電材料により形成されているシールドキャップ１３および上部金具１２を介して高圧電力ケーブルの端末９Ａに電気的に接続されている。
【００２７】
制振装置１１の固有振動数とブッシング１０の固有振動数とは一致するように設定されている。このため、制振装置１１はブッシング１０が地震等で過振したとき動吸振作用が生じてブッシング１０の振動を減衰するものである。
【００２８】
図２に、制振装置１１のばね体１６、１７として、コイルばねを使用した場合の具体例を示している。すなわち、図２（ａ）に示すように各支持体１９、２０および重り１８に、それぞれ相対向する取付孔１９Ａおよび１８Ｂと、１８Ａおよび２０Ａとが設けられている。これらの取付孔は盲孔である。これらの取付孔に、それぞれコイルばね１６および１７を、各端部を嵌め込むようにして配置されている。重り１８の取付孔１８Ａは、図２（ｂ）に示されるように、適数個がバランスを考慮して等間隔に設けられている。
【００２９】
コイルばね１６および１７のサイズ、取付け数等は、ブッシングその他の規模等に応じて適宜決定される。例えば、ケーブル終端部の高さをなるべく抑える場合にはコイルばねのサイズを小さめにして取付け数を多くする。
【００３０】
図３に重りの変形例を示している。この重り２２は、その側周面に、複数の取付孔２２Ａを等間隔に設けたものである。このような重り２２を使用した場合には、各取付孔２２Ａに対してコイルばね１７を水平方向に設ける状態となる。各コイルばね１７の他端部は、図示しないが、シールドキャップの内周に配設した支持体に係止される。
【００３１】
ばね体１６、１７としてコイルばねを使用した場合には、コイルばねに電流が流れたときに電磁作用で発熱する。これを防止するために、次のようにしてコイルばねに電流が流れないようにする。
ａ．コイルばねを、セラミックスのような絶縁材料により形成する。
ｂ．コイルばねの本体を通常のばね鋼材で形成し、その外表面をエナメル塗料のような絶縁材料で被覆する。
ｃ．２本以上に分割したコイルばねを、エポキシ樹脂のような絶縁材料で形成したブロック体を介して連結して１本のコイルばねとする。
ｄ．支持体１９、２０およびまたは重り１８を、エポキシ樹脂のような絶縁材料により構成する。
以上のいずれか、または適宜組み合わせて適用することにより、コイルばねへの通電を防止できる。
【００３２】
図４は制振装置の重りとそれを支持するばね体の変形例を示している。
図４に示すように、重り４０として球状のものを使用する。この球状の重り４０を、上下あるいは左右の両側から２本のコイルばね４１、４２を交差させて巻き付けて各支持体１９、２０に支持するようにする。２本のコイルばね４１、４２が重り４０から外れないように、重り４０に約半周長の溝（図示せず）を設けておき、これにそってコイルばねを掛け渡すようにしてもよい。コイルばねは、２本に限られず、複数本ずつ組み合わせてもよいものとする。
【実施例２】
【００３３】
図５は本発明の他の実施例を示す一部縦断面図である。
この実施例は、変圧器等の電力機器３０から立ち上げられている電力機器用ブッシングの例である。ブッシング１０およびその上部構造は、上記実施例１と同じである。
この実施例においても長尺のブッシング１０の上に、図１に示したものと同一構造の制振装置１１および引出し端子１５が配設されている。制振装置１１およびその上部構造は図１の構造と同じであるので、重複説明は省略する。
【００３４】
上記の構成とすることにより、電力機器３０から立ち上げられているケーブル終端部であっても、架台２５に立ち上げられているケーブル終端部と同様の制振効果が得られる。
【図面の簡単な説明】
【００３５】
【図１】実施例１のケーブル終端部を示す一部縦断正面図である。
【図２】同ケーブル終端部の制振装置を示す図で、（ａ）は縦断面図、（ｂ）は展開斜視図である。
【図３】同制振装置の変形例を示す展開斜視図である。
【図４】同制振装置の他の変形例を示す説明図である。
【図５】実施例２のケーブル終端部を示す一部縦断正面図である。
【符号の説明】
【００３６】
９  高圧ケーブル
１０  ブッシング
１１  制振装置
１２  上部金具
１３  シールドキャップ
１４  粘性流体
１５  引出し端子
１６、１７  ばね体
１８  重り
１９、２０  支持体
２５  架台
３０  電力機器
【図１】
2005333754.tif 000003
【図２】
2005333754.tif 000004
【図３】
2005333754.tif 000005
【図４】
2005333754.tif 000006
【図５】
2005333754.tif 000007